(57)【要約】【課題】所定の施設に併設された駐車場に駐車した場合に施設の各所において随時、駐車時間や駐車料金等を確認することができる駐車料金収集方法および駐車料金収集システム並びにそのシステム用車載器を提供すること。【解決手段】所定の施設に併設された駐車場における駐車時間に対応した駐車料金を精算して収集する駐車料金収集システムであって、記憶媒体３と、駐車場の入口に設置され、車両Ｍが駐車場に入庫する際の入庫時刻情報を入口付近の狭域に送信する入口路上機１と、車両Ｍに搭載され、入口路上機１から送信される入庫時刻情報を受信し、受信した入庫時刻情報を記憶媒体に記録する車載器２と、施設内に設置され、記憶媒体３に記録された入庫時刻と現在時刻から駐車時間を算出し、料金表と算出された駐車時間とを報知する固定端末４と、を備えている。【選択図】　　　図１
2004054695.tif 000002
【特許請求の範囲】
【請求項１】
車両が所定の施設に併設された駐車場に入庫する際の入庫時刻を記憶媒体に記録し、
上記記憶媒体に記録された上記入庫時刻と現在時刻から駐車時間を算出し、
料金表と算出された上記駐車時間とを報知する
ことを特徴とする駐車料金収集方法。
【請求項２】
車両が所定の施設に併設された駐車場に入庫する際の入庫時刻を記憶媒体に記録し、
上記記憶媒体に記録された上記入庫時刻と現在時刻から駐車時間を算出し、
料金表を参照して、算出された駐車時間に対応する駐車料金の現在額を算出し、
上記料金表と算出された上記駐車料金の現在額とを報知する
ことを特徴とする駐車料金収集方法。
【請求項３】
車両Ｍが所定の施設に併設された駐車場に入庫する際の入庫時刻を記憶媒体に記録し、
上記記憶媒体に記録された上記入庫時刻と現在時刻から駐車時間を算出し、
料金表を参照して、算出された駐車時間に対応する駐車料金の現在額を算出し、
算出された上記駐車時間および上記駐車料金の現在額を報知する
ことを特徴とする駐車料金収集方法。
【請求項４】
所定の施設に併設された駐車場における駐車時間に対応した駐車料金を精算して収集する駐車料金収集システムであって、
記憶媒体と、
上記駐車場の入口に設置され、車両が上記駐車場に入庫する際の入庫時刻情報を上記入口付近の狭域に送信する入口路上機と、
上記車両に搭載され、上記入口路上機から送信される上記入庫時刻情報を受信し、受信した上記入庫時刻情報を上記記憶媒体に記録する車載器と、
上記施設内に設置され、上記記憶媒体に記録された上記入庫時刻と現在時刻から駐車時間を算出し、料金表と算出された上記駐車時間とを報知する固定端末と、
を備えていることを特徴とする駐車料金収集システム。
【請求項５】
所定の施設に併設された駐車場における駐車時間に対応した駐車料金を精算して収集する駐車料金収集システムであって、
記憶媒体と、
上記駐車場の入口に設置され、車両が上記駐車場に入庫する際の入庫時刻情報を上記入口付近の狭域に送信する入口路上機と、
上記車両に搭載され、上記入口路上機から送信される上記入庫時刻情報を受信し、受信した上記入庫時刻情報を上記記憶媒体に記録する車載器と、
上記施設内に設置され、上記記憶媒体に記録された上記入庫時刻と現在時刻から駐車時間を算出すると共に、料金表を参照して、算出された駐車時間に対応する駐車料金の現在額を算出し、上記料金表と算出された上記駐車料金の現在額とを報知する固定端末と、
を備えていることを特徴とする駐車料金収集システム。
【請求項６】
所定の施設に併設された駐車場における駐車時間に対応した駐車料金を精算して収集する駐車料金収集システムであって、
記憶媒体と、
上記駐車場の入口に設置され、車両が上記駐車場に入庫する際の入庫時刻情報を上記入口付近の狭域に送信する入口路上機と、
上記車両に搭載され、上記入口路上機から送信される上記入庫時刻情報を受信し、受信した上記入庫時刻情報を上記記憶媒体に記録する車載器と、
上記施設内に設置され、上記記憶媒体に記録された上記入庫時刻と現在時刻から駐車時間を算出すると共に算出された駐車時間に対応する駐車料金の現在額を算出し、算出された上記駐車時間と上記駐車料金の現在額とを報知する固定端末と、
を備えていることを特徴とする駐車料金収集システム。
【請求項７】
前記入口路上機は、現在時刻を出力する時計手段と、上記時計手段から出力される現在時刻を入庫時刻情報として送信する送信手段とを含むことを特徴とする請求項４から６のいずれか１項に記載の駐車料金収集システム。
【請求項８】
前記車載器は、前記入口路上機から送信される前記入庫時刻情報を受信する受信手段と、該受信手段で受信された前記入庫時刻情報を前記記憶媒体３に記録する記録手段と、
を含むことを特徴とする請求項４から６のいずれか１項に記載の駐車料金収集システム。
【請求項９】
前記固定端末は、前記記憶媒体に記録されている前記入庫時刻情報を読み出す読出し手段と、現在時刻を出力する時計手段と、上記読出し手段で読み出された前記入庫時刻と上記時計手段から出力された上記現在時刻とから駐車時間を算出すると現在時刻から駐車時間を算出する駐車時間算出手段と、駐車時間に対応する駐車料金を示す料金表を予め記憶した記憶手段と、上記料金表と算出された上記駐車時間とを表示する表示手段と、
を含むことを特徴とする請求項４記載の駐車料金収集システム。
【請求項１０】
前記固定端末は、前記記憶媒体に記録されている前記入庫時刻情報を読み出す読出し手段と、現在時刻を出力する時計手段と、上記読出し手段で読み出された前記入庫時刻と上記時計手段から出力された上記現在時刻とから駐車時間を算出する駐車時間算出手段と、駐車時間に対応する駐車料金を示す料金表を予め記憶した記憶手段と、上記料金表を参照して、上記算出された駐車時間に対応する駐車料金の現在額を算出する駐車料金算出手段と、上記料金表と算出された上記駐車料金の現在額とを表示する表示手段と、
を含むことを特徴とする請求項５記載の駐車料金収集システム。
【請求項１１】
前記固定端末は、前記記憶媒体に記録されている前記入庫時刻情報を読み出す読出し手段と、現在時刻を出力する時計手段と、上記読出し手段で読み出された前記入庫時刻と上記時計手段から出力された上記現在時刻とから駐車時間を算出する駐車時間算出手段と、駐車時間に対応する駐車料金を示す料金表を予め記憶した記憶手段と、上記料金表を参照して、上記算出された駐車時間に対応する駐車料金の現在額を算出する駐車料金算出手段と、算出された上記駐車時間と上記駐車料金の現在額とを表示する表示手段と、
を含むことを特徴とする請求項６記載の駐車料金収集システム。
【請求項１２】
前記固定端末は、前記記憶媒体に記録されている前記入庫時刻情報を読み出す読出し手段と、現在時刻を出力する時計手段と、上記読出し手段で読み出された前記入庫時刻と上記時計手段から出力された上記現在時刻とから駐車時間を算出する駐車時間算出手段と、前記施設に併設された複数の駐車場に対応して、各駐車場における駐車時間に対応する駐車料金を示す複数の料金表を予め記憶した記憶手段と、駐車場選択手段と、上記駐車場選択手段の選択に応じて上記複数の料金表の中から選択的に読み出された料金表と算出された上記駐車時間とを表示する表示手段と、
を含むことを特徴とする請求項４記載の駐車料金収集システム。
【請求項１３】
前記固定端末は、前記記憶媒体に記録されている前記入庫時刻情報を読み出す読出し手段と、現在時刻を出力する時計手段と、上記読出し手段で読み出された前記入庫時刻と上記時計手段から出力された上記現在時刻とから駐車時間を算出する駐車時間算出手段と、前記施設に併設された複数の駐車場に対応して、各駐車場における駐車時間に対応する駐車料金を示す複数の料金表を予め記憶した記憶手段と、駐車場選択手段と、上記駐車場選択手段の選択に応じて上記複数の料金表の中から選択的に読み出された料金表を参照して、上記算出された駐車時間に対応する駐車料金の現在額を算出する駐車料金算出手段と、上記料金表と算出された上記駐車料金の現在額とを表示する表示手段と、
を含むことを特徴とする請求項５記載の駐車料金収集システム。
【請求項１４】
前記固定端末は、前記記憶媒体に記録されている前記入庫時刻情報を読み出す読出し手段と、現在時刻を出力する時計手段と、上記読出し手段で読み出された前記入庫時刻と上記時計手段から出力された上記現在時刻とから駐車時間を算出する駐車時間算出手段と、前記施設に併設された複数の駐車場に対応して、各駐車場における駐車時間に対応する駐車料金を示す複数の料金表を予め記憶した記憶手段と、駐車場選択手段と、上記駐車場選択手段の選択に応じて上記複数の料金表の中から選択的に読み出された料金表を参照して、上記算出された駐車時間に対応する駐車料金の現在額を算出する駐車料金算出手段と、算出された上記駐車時間および上記駐車料金の現在額を表示する表示手段と、
を含むことを特徴とする請求項６記載の駐車料金収集システム。
【請求項１５】
前記入口路上機は、駐車場識別コードを予め記憶した記憶手段と、現在時刻を出力する時計手段と、上記時計手段から出力される現在時刻を入庫時刻情報として送信すると共に、上記記憶手段に予め記憶されている上記駐車場識別コードを送信する送信手段とを含み、
前記車載器は、前記入口路上機から送信される前記入庫時刻情報および上記駐車場識別コードを受信する受信手段と、該受信手段で受信された前記入庫時刻情報および上記駐車場識別コードを前記記憶媒体に記録する記録手段とを含み、
前記固定端末は、前記記憶媒体に記録されている前記入庫時刻情報および前記駐車場識別コードを読み出す読出し手段と、現在時刻を出力する時計手段と、上記読出し手段で読み出された前記入庫時刻と上記時計手段から出力された上記現在時刻とから駐車時間を算出する駐車時間算出手段と、前記施設に併設された複数の駐車場に対応して、各駐車場における駐車時間に対応する駐車料金を示す複数の料金表を予め記憶した記憶手段と、上記記憶手段に予め記憶されている上記複数の料金表の中から上記読出し手段で読み出された上記駐車場識別コードに応じて読み出された料金表と算出された上記駐車時間とを表示する表示手段とを含む
ことを特徴とする請求項４記載の駐車料金収集システム。
【請求項１６】
前記入口路上機は、駐車場識別コードを予め記憶した記憶手段と、現在時刻を出力する時計手段と、上記時計手段から出力される現在時刻を入庫時刻情報として送信すると共に、上記記憶手段に予め記憶されている上記駐車場識別コードを送信する送信手段とを含み、
前記車載器は、前記入口路上機から送信される前記入庫時刻情報および上記駐車場識別コードを受信する受信手段と、該受信手段で受信された前記入庫時刻情報および上記駐車場識別コードを前記記憶媒体に記録する記録手段とを含み、
前記固定端末は、前記記憶媒体に記録されている前記入庫時刻情報および前記駐車場識別コードを読み出す読出し手段と、現在時刻を出力する時計手段と、上記読出し手段で読み出された前記入庫時刻と上記時計手段から出力された上記現在時刻とから駐車時間を算出する駐車時間算出手段と、前記施設に併設された複数の駐車場に対応して、各駐車場における駐車時間に対応する駐車料金を示す複数の料金表を予め記憶した記憶手段と、上記記憶手段に予め記憶されている上記複数の料金表の中から上記読出し手段で読み出された上記駐車場識別コードに応じて読み出された料金表を参照して、上記算出された駐車時間に対応する駐車料金の現在額を算出する駐車料金算出手段と、上記駐車場識別コードに応じて読み出された料金表と上記駐車料金の現在額とを表示する表示手段とを含む
ことを特徴とする請求項５記載の駐車料金収集システム。
【請求項１７】
前記入口路上機は、駐車場識別コードを予め記憶した記憶手段と、現在時刻を出力する時計手段と、上記時計手段から出力される現在時刻を入庫時刻情報として送信すると共に、上記記憶手段に予め記憶されている上記駐車場識別コードを送信する送信手段とを含み、
前記車載器は、前記入口路上機から送信される前記入庫時刻情報および上記駐車場識別コードを受信する受信手段と、該受信手段で受信された前記入庫時刻情報および上記駐車場識別コードを前記記憶媒体に記録する記録手段とを含み、
前記固定端末は、前記記憶媒体に記録されている前記入庫時刻情報および前記駐車場識別コードを読み出す読出し手段と、現在時刻を出力する時計手段と、上記読出し手段で読み出された前記入庫時刻と上記時計手段から出力された上記現在時刻とから駐車時間を算出する駐車時間算出手段と、前記施設に併設された複数の駐車場に対応して、各駐車場における駐車時間に対応する駐車料金を示す複数の料金表を予め記憶した記憶手段と、上記記憶手段に予め記憶されている上記複数の料金表の中から上記読出し手段で読み出された上記駐車場識別コードに応じて読み出された料金表を参照して、上記算出された駐車時間に対応する駐車料金の現在額を算出する駐車料金算出手段と、算出された上記駐車時間および上記駐車料金の現在額を表示する表示手段とを含む
ことを特徴とする請求項６記載の駐車料金収集システム。
【請求項１８】
前記入口路上機は、駐車時間に対応する駐車料金を示す料金表を予め記憶した記憶手段と、現在時刻を出力する時計手段と、上記時計手段から出力される現在時刻を入庫時刻情報として送信すると共に、上記記憶手段に予め記憶されている上記料金表を送信する送信手段とを含み、
前記車載器は、前記入口路上機から送信される前記入庫時刻情報および上記料金表を受信する受信手段と、該受信手段で受信された前記入庫時刻情報および上記料金表を前記記憶媒体に記録する記録手段とを含み、
前記固定端末は、前記記憶媒体に記録されている前記入庫時刻情報および上記料金表を読み出す読出し手段と、現在時刻を出力する時計手段と、上記読出し手段で読み出された前記入庫時刻と上記時計手段から出力された上記現在時刻とから駐車時間を算出する駐車時間算出手段と、上記読出し手段で読み出された上記料金表と、算出された上記駐車時間とを表示する表示手段とを含む
ことを特徴とする請求項４記載の駐車料金収集システム。
【請求項１９】
前記入口路上機は、駐車時間に対応する駐車料金を示す料金表を予め記憶した記憶手段と、現在時刻を出力する時計手段と、上記時計手段から出力される現在時刻を入庫時刻情報として送信すると共に、上記記憶手段に予め記憶されている上記料金表を送信する送信手段とを含み、
前記車載器は、前記入口路上機から送信される前記入庫時刻情報および上記料金表を受信する受信手段と、該受信手段で受信された前記入庫時刻情報および上記料金表を前記記憶媒体に記録する記録手段とを含み、
前記固定端末は、前記記憶媒体に記録されている前記入庫時刻情報および上記料金表を読み出す読出し手段と、現在時刻を出力する時計手段と、上記読出し手段で読み出された前記入庫時刻と上記時計手段から出力された上記現在時刻とから駐車時間を算出する駐車時間算出手段と、上記読出し手段で読み出された上記料金表を参照して、上記算出された駐車時間に対応する駐車料金の現在額を算出する駐車料金算出手段と、上記読出し手段で読み出された上記料金表と算出された上記駐車料金の現在額とを表示する表示手段とを含む
ことを特徴とする請求項５記載の駐車料金収集システム。
【請求項２０】
前記入口路上機は、駐車時間に対応する駐車料金を示す料金表を予め記憶した記憶手段と、現在時刻を出力する時計手段と、上記時計手段から出力される現在時刻を入庫時刻情報として送信すると共に、上記記憶手段に予め記憶されている上記料金表を送信する送信手段とを含み、
前記車載器は、前記入口路上機から送信される前記入庫時刻情報および上記料金表を受信する受信手段と、該受信手段で受信された前記入庫時刻情報および上記料金表を前記記憶媒体に記録する記録手段とを含み、
前記固定端末は、前記記憶媒体に記録されている前記入庫時刻情報および上記料金表を読み出す読出し手段と、現在時刻を出力する時計手段と、上記読出し手段で読み出された前記入庫時刻と上記時計手段から出力された上記現在時刻とから駐車時間を算出する駐車時間算出手段と、上記読出し手段で読み出された上記料金表を参照して、上記算出された駐車時間に対応する駐車料金の現在額を算出する駐車料金算出手段と、算出された上記駐車時間と上記駐車料金の現在額とを表示する表示手段とを含む
ことを特徴とする請求項６記載の駐車料金収集システム。
【請求項２１】
所定の施設に併設された駐車場における駐車時間に対応した駐車料金を精算して収集する駐車料金収集システムであって、記憶媒体と、上記駐車場の入口に設置され、車両が上記駐車場に入庫する際の入庫時刻情報を上記入口付近の狭域に送信する入口路上機と、上記施設内に設置され、上記入庫時刻情報に基づいて駐車時間を算出し、料金表と算出された上記駐車時間とを表示する固定端末と、を備えている駐車料金収集システムで使用される車載器であって、
上記入口路上機から送信される上記入庫時刻情報を受信する受信手段と、該受信手段で受信された上記入庫時刻情報を上記記憶媒体に記録する記録手段と、
を含むことを特徴とする駐車料金収集システム用車載器。
【発明の詳細な説明】
【０００１】
【発明の属する技術分野】
この発明は、駐車場から離れて買い物などをしている顧客に逐次駐車時間や駐車料金の現在額を報知することができる駐車料金収集方法および駐車料金収集システム並びにそのシステム用車載器に関する。
【０００２】
【従来の技術】
従来、この種の技術としては、たとえば特開２００１−１６７３０２号公報に開示されている駐車料金収受システムがある。
【０００３】
図１９は、上述の公報に開示されている従来システムの構成を示すブロック図である。従来システムは、車両とのＤＳＲＣ（Ｄｅｄｉｃａｔｅｄ　Ｓｈｏｒｔ　Ｒａｎｇｅ　Ｃｏｍｍｕｎｉｃａｔｉｏｎ　）（専用狭域通信）で取得した車両ＩＤに対応する電話番号を、個人情報が登録されたセンタ５０から入手する通信手段（通信部）３６と、入手した電話番号を保持するデータ保持手段（データ保持部）３３と、公衆回線網６１を通じて電話番号を発呼する通信処理手段（通信処理部）３５と、発呼先に伝えるメッセージを生成するメッセージ生成手段（音声データ生成部）３２と、車両の駐車場内での滞在時間を算出し、滞在時間が所定時間に達した時点で通信処理手段に発呼を行わせる制御手段（演算処理部）３４とを設けている。このような構成において、駐車料金が加算される所定時間前に、通信処理手段（通信処理部）３５を通じて、駐車場から離れているユーザの携帯電話などに、間もなく駐車料金が加算される旨のメッセージを伝送することができる。
【０００４】
【発明が解決しようとする課題】
上述の従来システムは、駐車時間が加算される所定時間前に駐車場から離れているユーザを携帯電話で呼び出し、間もなく駐車料金が加算される旨のメッセージを伝送する構成となっているが、以下のような問題点がある。
【０００５】
ユーザは、自発的に入庫時刻を時計等で確認して覚えていない限り、たとえば売場では駐車場利用開始時刻を確認する手だてはないため、入庫時刻を確認し忘れると駐車時間が加算される所定時間の経過が気になり、買い物を行う移動範囲が短くなったり、余裕をもって品物選びができずユーザの行動が制限されることになる。
【０００６】
更に、入庫時刻に経過時間（たとえば１５分、３０分）が加算される毎に携帯電話にメッセージが入るため応答するのが煩わしく、また、メッセージが入る都度、受話すると通話料金がかかり、ユーザに金銭的な負担をかけることになる。
【０００７】
更に、このシステムによるサービスは、携帯電話を所有していないユーザは受けることができず一般的とは言えない。また、電話番号をセンタに登録していないユーザの携帯電話はシステムを利用できないため、携帯電話の電話番号をセンタに登録する必要があり、システムの使用に手間がかかる。
【０００８】
この発明は、上記のような問題点を解消するためになされたもので、所定の施設に併設された駐車場に駐車した場合に施設の各所において随時、駐車時間や駐車料金等を確認することができる駐車料金収集方法および駐車料金収集システム並びにそのシステム用車載器を提供することを目的とする。
【０００９】
【課題を解決するための手段】
上記課題を解決するためになされた請求項１記載の発明は、車両が所定の施設に併設された駐車場に入庫する際の入庫時刻を記憶媒体に記録し、上記記憶媒体に記録された上記入庫時刻と現在時刻から駐車時間を算出し、料金表と算出された上記駐車時間とを報知することを特徴とする駐車料金収集方法に存する。
【００１０】
請求項１記載の発明によれば、駐車料金収集方法は、車両が所定の施設に併設された駐車場に入庫する際の入庫時刻を記憶媒体に記録し、記憶媒体に記録された入庫時刻と現在時刻から駐車時間を算出し、料金表と算出された駐車時間とを報知するので、顧客は、必要な時に現在の駐車時間を知ることができ、また、料金表から、駐車料金の現在額や追加料金が加算されるまでの時間を知ることができる。
【００１１】
上記課題を解決するためになされた請求項２記載の発明は、車両が所定の施設に併設された駐車場に入庫する際の入庫時刻を記憶媒体に記録し、上記記憶媒体に記録された上記入庫時刻と現在時刻から駐車時間を算出し、料金表を参照して、算出された駐車時間に対応する駐車料金の現在額を算出し、上記料金表と算出された上記駐車料金の現在額とを報知することを特徴とする駐車料金収集方法に存する。
【００１２】
請求項２記載の発明によれば、駐車料金収集方法は、車両が所定の施設に併設された駐車場に入庫する際の入庫時刻を記憶媒体に記録し、記憶媒体に記録された入庫時刻と現在時刻から駐車時間を算出し、料金表を参照して、算出された駐車時間に対応する駐車料金の現在額を算出し、料金表と算出された駐車料金の現在額とを報知するので、顧客は、必要な時に駐車料金の現在額を知ることができる。
【００１３】
上記課題を解決するためになされた請求項３記載の発明は、車両が所定の施設に併設された駐車場に入庫する際の入庫時刻を記憶媒体に記録し、上記記憶媒体に記録された上記入庫時刻と現在時刻から駐車時間を算出し、料金表を参照して、算出された駐車時間に対応する駐車料金の現在額を算出し、算出された上記駐車時間および上記駐車料金の現在額を報知することを特徴とする駐車料金収集方法に存する。
【００１４】
請求項３記載の発明によれば、駐車料金収集方法は、車両が所定の施設に併設された駐車場に入庫する際の入庫時刻を記憶媒体に記録し、記憶媒体に記録された入庫時刻と現在時刻から駐車時間を算出し、料金表を参照して、算出された駐車時間に対応する駐車料金の現在額を算出し、算出された駐車時間および駐車料金の現在額を報知するので、顧客は、必要な時に現在の駐車時間と駐車料金の現在額を知ることができる。
【００１５】
上記課題を解決するためになされた請求項４記載の発明は、所定の施設に併設された駐車場における駐車時間に対応した駐車料金を精算して収集する駐車料金収集システムであって、記憶媒体と、上記駐車場の入口に設置され、車両が上記駐車場に入庫する際の入庫時刻情報を上記入口付近の狭域に送信する入口路上機と、上記車両に搭載され、上記入口路上機から送信される上記入庫時刻情報を受信し、受信した上記入庫時刻情報を上記記憶媒体に記録する車載器と、上記施設内に設置され、上記記憶媒体に記録された上記入庫時刻と現在時刻から駐車時間を算出し、料金表と算出された上記駐車時間とを報知する固定端末と、を備えていることを特徴とする駐車料金収集システムに存する。
【００１６】
請求項４記載の発明によれば、駐車料金収集システムは、所定の施設に併設された駐車場における駐車時間に対応した駐車料金を精算して収集する駐車料金収集システムであって、記憶媒体と、駐車場の入口に設置され、車両が駐車場に入庫する際の入庫時刻情報を入口付近の狭域に送信する入口路上機と、車両に搭載され、入口路上機から送信される入庫時刻情報を受信し、受信した入庫時刻情報を記憶媒体に記録する車載器と、施設内に設置され、記憶媒体に記録された入庫時刻と現在時刻から駐車時間を算出し、料金表と算出された駐車時間とを報知する固定端末と、を備えているので、顧客は、必要な時に現在の駐車時間を知ることができ、また、料金表から、駐車料金の現在額や追加料金が加算されるまでの時間を知ることができる。
【００１７】
上記課題を解決するためになされた請求項５記載の発明は、所定の施設に併設された駐車場における駐車時間に対応した駐車料金を精算して収集する駐車料金収集システムであって、記憶媒体と、上記駐車場の入口に設置され、車両が上記駐車場に入庫する際の入庫時刻情報を上記入口付近の狭域に送信する入口路上機と、上記車両に搭載され、上記入口路上機から送信される上記入庫時刻情報を受信し、受信した上記入庫時刻情報を上記記憶媒体に記録する車載器と、上記施設内に設置され、上記記憶媒体に記録された上記入庫時刻と現在時刻から駐車時間を算出すると共に、料金表を参照して、算出された駐車時間に対応する駐車料金の現在額を算出し、上記料金表と算出された上記駐車料金の現在額とを報知する固定端末と、を備えていることを特徴とする駐車料金収集システムに存する。
【００１８】
請求項５記載の発明によれば、駐車料金収集システムは、所定の施設に併設された駐車場における駐車時間に対応した駐車料金を精算して収集する駐車料金収集システムであって、記憶媒体と、駐車場の入口に設置され、車両が駐車場に入庫する際の入庫時刻情報を入口付近の狭域に送信する入口路上機と、車両に搭載され、入口路上機から送信される入庫時刻情報を受信し、受信した入庫時刻情報を記憶媒体に記録する車載器と、施設内に設置され、記憶媒体に記録された入庫時刻と現在時刻から駐車時間を算出すると共に、料金表を参照して、算出された駐車時間に対応する駐車料金の現在額を算出し、料金表と算出された駐車料金の現在額とを報知する固定端末と、を備えているので、顧客は、必要な時に駐車料金の現在額を知ることができる。また、料金表から、追加料金が加算されるまでの時間を知ることができる。
【００１９】
上記課題を解決するためになされた請求項６記載の発明は、所定の施設に併設された駐車場における駐車時間に対応した駐車料金を精算して収集する駐車料金収集システムであって、記憶媒体と、上記駐車場の入口に設置され、車両が上記駐車場に入庫する際の入庫時刻情報を上記入口付近の狭域に送信する入口路上機と、上記車両に搭載され、上記入口路上機から送信される上記入庫時刻情報を受信し、受信した上記入庫時刻情報を上記記憶媒体に記録する車載器と、上記施設内に設置され、上記記憶媒体に記録された上記入庫時刻と現在時刻から駐車時間を算出すると共に算出された駐車時間に対応する駐車料金の現在額を算出し、算出された上記駐車時間と上記駐車料金の現在額とを報知する固定端末と、を備えていることを特徴とする駐車料金収集システムに存する。
【００２０】
請求項６記載の発明によれば、駐車料金収集システムは、所定の施設に併設された駐車場における駐車時間に対応した駐車料金を精算して収集する駐車料金収集システムであって、記憶媒体と、駐車場の入口に設置され、車両が駐車場に入庫する際の入庫時刻情報を入口付近の狭域に送信する入口路上機と、車両に搭載され、入口路上機から送信される入庫時刻情報を受信し、受信した入庫時刻情報を記憶媒体に記録する車載器と、施設内に設置され、記憶媒体に記録された入庫時刻と現在時刻から駐車時間を算出すると共に算出された駐車時間に対応する駐車料金の現在額を算出し、算出された上記駐車時間と駐車料金の現在額とを報知する固定端末と、を備えているので、顧客は、必要な時に現在の駐車時間と駐車料金の現在額を知ることができる。
【００２１】
上記課題を解決するためになされた請求項７記載の発明は、前記入口路上機は、現在時刻を出力する時計手段と、上記時計手段から出力される現在時刻を入庫時刻情報として送信する送信手段とを含むことを特徴とする請求項４から６のいずれか１項に記載の駐車料金収集システムに存する。
【００２２】
請求項７記載の発明によれば、入口路上機は、現在時刻を出力する時計手段と、時計手段から出力される現在時刻を入庫時刻情報として送信する送信手段とを含むので、車載器に駐車場への入庫時刻情報を確実に送信することができる。
【００２３】
上記課題を解決するためになされた請求項８記載の発明は、前記車載器は、前記入口路上機から送信される前記入庫時刻情報を受信する受信手段と、該受信手段で受信された前記入庫時刻情報を前記記憶媒体に記録する記録手段と、を含むことを特徴とする請求項４から６のいずれか１項に記載の駐車料金収集システムに存する。
【００２４】
請求項８記載の発明によれば、車載器は、入口路上機から送信される入庫時刻情報を受信する受信手段と、該受信手段で受信された入庫時刻情報を記憶媒体に記録する記録手段と、を含むので、記憶媒体に入庫時刻情報を確実に記録することができる。
【００２５】
上記課題を解決するためになされた請求項９記載の発明は、前記固定端末は、前記記憶媒体に記録されている前記入庫時刻情報を読み出す読出し手段と、現在時刻を出力する時計手段と、上記読出し手段で読み出された前記入庫時刻と上記時計手段から出力された上記現在時刻とから駐車時間を算出すると現在時刻から駐車時間を算出する駐車時間算出手段と、駐車時間に対応する駐車料金を示す料金表を予め記憶した記憶手段と、上記料金表と算出された上記駐車時間とを表示する表示手段と、を含むことを特徴とする請求項４記載の駐車料金収集システムに存する。
【００２６】
請求項９記載の発明によれば、固定端末は、記憶媒体に記録されている入庫時刻情報を読み出す読出し手段と、現在時刻を出力する時計手段と、読出し手段で読み出された入庫時刻と時計手段から出力された現在時刻とから駐車時間を算出すると現在時刻から駐車時間を算出する駐車時間算出手段と、駐車時間に対応する駐車料金を示す料金表を予め記憶した記憶手段と、料金表と算出された駐車時間とを表示する表示手段と、を含むので、入庫時刻から現在時刻までの現時点の駐車時間を算出して、料金表と共に顧客に報知することができる。
【００２７】
上記課題を解決するためになされた請求項１０記載の発明は、前記固定端末は、前記記憶媒体に記録されている前記入庫時刻情報を読み出す読出し手段と、現在時刻を出力する時計手段と、上記読出し手段で読み出された前記入庫時刻と上記時計手段から出力された上記現在時刻とから駐車時間を算出する駐車時間算出手段と、駐車時間に対応する駐車料金を示す料金表を予め記憶した記憶手段と、上記料金表を参照して、上記算出された駐車時間に対応する駐車料金の現在額を算出する駐車料金算出手段と、上記料金表と算出された上記駐車料金の現在額とを表示する表示手段と、を含むことを特徴とする請求項５記載の駐車料金収集システムに存する。
【００２８】
請求項１０記載の発明によれば、固定端末は、記憶媒体に記録されている入庫時刻情報を読み出す読出し手段と、現在時刻を出力する時計手段と、読出し手段で読み出された入庫時刻と時計手段から出力された現在時刻とから駐車時間を算出する駐車時間算出手段と、駐車時間に対応する駐車料金を示す料金表を予め記憶した記憶手段と、料金表を参照して、算出された駐車時間に対応する駐車料金の現在額を算出する駐車料金算出手段と、料金表と算出された上記駐車料金の現在額とを表示する表示手段と、を含むので、駐車時間の現在額を算出して、料金表と共に顧客に報知することができる。
【００２９】
上記課題を解決するためになされた請求項１１記載の発明は、前記固定端末は、前記記憶媒体に記録されている前記入庫時刻情報を読み出す読出し手段と、現在時刻を出力する時計手段と、上記読出し手段で読み出された前記入庫時刻と上記時計手段から出力された上記現在時刻とから駐車時間を算出する駐車時間算出手段と、駐車時間に対応する駐車料金を示す料金表を予め記憶した記憶手段と、上記料金表を参照して、上記算出された駐車時間に対応する駐車料金の現在額を算出する駐車料金算出手段と、算出された上記駐車時間と上記駐車料金の現在額とを表示する表示手段と、を含むことを特徴とする請求項６記載の駐車料金収集システムに存する。
【００３０】
請求項１１記載の発明によれば、固定端末は、記憶媒体に記録されている入庫時刻情報を読み出す読出し手段と、現在時刻を出力する時計手段と、読出し手段で読み出された入庫時刻と時計手段から出力された現在時刻とから駐車時間を算出する駐車時間算出手段と、駐車時間に対応する駐車料金を示す料金表を予め記憶した記憶手段と、料金表を参照して、算出された駐車時間に対応する駐車料金の現在額を算出する駐車料金算出手段と、算出された駐車時間と駐車料金の現在額とを表示する表示手段と、を含むので、入庫時刻から現在時刻までの現時点の駐車時間と駐車料金の現在額とを算出して、顧客に報知することができる。
【００３１】
上記課題を解決するためになされた請求項１２記載の発明は、前記固定端末は、前記記憶媒体に記録されている前記入庫時刻情報を読み出す読出し手段と、現在時刻を出力する時計手段と、上記読出し手段で読み出された前記入庫時刻と上記時計手段から出力された上記現在時刻とから駐車時間を算出する駐車時間算出手段と、前記施設に併設された複数の駐車場に対応して、各駐車場における駐車時間に対応する駐車料金を示す複数の料金表を予め記憶した記憶手段と、駐車場選択手段と、上記駐車場選択手段の選択に応じて上記複数の料金表の中から選択的に読み出された料金表と算出された上記駐車時間とを表示する表示手段と、を含むことを特徴とする請求項４記載の駐車料金収集システムに存する。
【００３２】
請求項１２記載の発明によれば、固定端末は、記憶媒体に記録されている入庫時刻情報を読み出す読出し手段と、現在時刻を出力する時計手段と、読出し手段で読み出された入庫時刻と時計手段から出力された現在時刻とから駐車時間を算出する駐車時間算出手段と、施設に併設された複数の駐車場に対応して、各駐車場における駐車時間に対応する駐車料金を示す複数の料金表を予め記憶した記憶手段と、駐車場選択手段と、駐車場選択手段の選択に応じて複数の料金表の中から選択的に読み出された料金表と算出された駐車時間とを表示する表示手段と、を含むので、複数の駐車場の中から選択された利用中の駐車場における入庫時刻から現在時刻までの現時点の駐車時間を算出して、料金表と共に顧客に報知することができる。
【００３３】
上記課題を解決するためになされた請求項１３記載の発明は、前記固定端末は、前記記憶媒体に記録されている前記入庫時刻情報を読み出す読出し手段と、現在時刻を出力する時計手段と、上記読出し手段で読み出された前記入庫時刻と上記時計手段から出力された上記現在時刻とから駐車時間を算出する駐車時間算出手段と、前記施設に併設された複数の駐車場に対応して、各駐車場における駐車時間に対応する駐車料金を示す複数の料金表を予め記憶した記憶手段と、駐車場選択手段と、上記駐車場選択手段の選択に応じて上記複数の料金表の中から選択的に読み出された料金表を参照して、上記算出された駐車時間に対応する駐車料金の現在額を算出する駐車料金算出手段と、上記料金表と算出された上記駐車料金の現在額とを表示する表示手段と、を含むことを特徴とする請求項５記載の駐車料金収集システムに存する。
【００３４】
請求項１３記載の発明によれば、固定端末は、記憶媒体に記録されている入庫時刻情報を読み出す読出し手段と、現在時刻を出力する時計手段と、読出し手段で読み出された入庫時刻と時計手段から出力された現在時刻とから駐車時間を算出する駐車時間算出手段と、施設に併設された複数の駐車場に対応して、各駐車場における駐車時間に対応する駐車料金を示す複数の料金表を予め記憶した記憶手段と、駐車場選択手段と、駐車場選択手段の選択に応じて複数の料金表の中から選択的に読み出された料金表を参照して、算出された駐車時間に対応する駐車料金の現在額を算出する駐車料金算出手段と、料金表と算出された駐車料金の現在額とを表示する表示手段と、を含むので、複数の駐車場の中から選択された利用中の駐車場における駐車料金の現在額を算出して、料金表と共に顧客に報知することができる。
【００３５】
上記課題を解決するためになされた請求項１４記載の発明は、前記固定端末は、前記記憶媒体に記録されている前記入庫時刻情報を読み出す読出し手段と、現在時刻を出力する時計手段と、上記読出し手段で読み出された前記入庫時刻と上記時計手段から出力された上記現在時刻とから駐車時間を算出する駐車時間算出手段と、前記施設に併設された複数の駐車場に対応して、各駐車場における駐車時間に対応する駐車料金を示す複数の料金表を予め記憶した記憶手段と、駐車場選択手段と、上記駐車場選択手段の選択に応じて上記複数の料金表の中から選択的に読み出された料金表を参照して、上記算出された駐車時間に対応する駐車料金の現在額を算出する駐車料金算出手段と、算出された上記駐車時間および上記駐車料金の現在額を表示する表示手段と、を含むことを特徴とする請求項６記載の駐車料金収集システムに存する。
【００３６】
請求項１４記載の発明によれば、固定端末は、記憶媒体に記録されている入庫時刻情報を読み出す読出し手段と、現在時刻を出力する時計手段と、読出し手段で読み出された入庫時刻と時計手段から出力された現在時刻とから駐車時間を算出する駐車時間算出手段と、施設に併設された複数の駐車場に対応して、各駐車場における駐車時間に対応する駐車料金を示す複数の料金表を予め記憶した記憶手段と、駐車場選択手段と、駐車場選択手段の選択に応じて複数の料金表の中から選択的に読み出された料金表を参照して、算出された駐車時間に対応する駐車料金の現在額を算出する駐車料金算出手段と、算出された駐車時間および駐車料金の現在額を表示する表示手段と、を含むので、複数の駐車場の中から選択された利用中の駐車場における入庫時刻から現在時刻までの現時点の駐車時間と駐車料金の現在額とを算出して、顧客に報知することができる。
【００３７】
上記課題を解決するためになされた請求項１５記載の発明は、前記入口路上機は、駐車場識別コードを予め記憶した記憶手段と、現在時刻を出力する時計手段と、上記時計手段から出力される現在時刻を入庫時刻情報として送信すると共に、上記記憶手段に予め記憶されている上記駐車場識別コードを送信する送信手段とを含み、前記車載器は、前記入口路上機から送信される前記入庫時刻情報および上記駐車場識別コードを受信する受信手段と、該受信手段で受信された前記入庫時刻情報および上記駐車場識別コードを前記記憶媒体に記録する記録手段とを含み、前記固定端末は、前記記憶媒体に記録されている前記入庫時刻情報および前記駐車場識別コードを読み出す読出し手段と、現在時刻を出力する時計手段と、上記読出し手段で読み出された前記入庫時刻と上記時計手段から出力された上記現在時刻とから駐車時間を算出する駐車時間算出手段と、前記施設に併設された複数の駐車場に対応して、各駐車場における駐車時間に対応する駐車料金を示す複数の料金表を予め記憶した記憶手段と、上記記憶手段に予め記憶されている上記複数の料金表の中から上記読出し手段で読み出された上記駐車場識別コードに応じて読み出された料金表と算出された上記駐車時間とを表示する表示手段とを含むことを特徴とする請求項４記載の駐車料金収集システムに存する。
【００３８】
請求項１５記載の発明によれば、入口路上機は、駐車場識別コードを予め記憶した記憶手段と、現在時刻を出力する時計手段と、時計手段から出力される現在時刻を入庫時刻情報として送信すると共に、記憶手段に予め記憶されている駐車場識別コードを送信する送信手段とを含み、車載器は、入口路上機から送信される入庫時刻情報および駐車場識別コードを受信する受信手段と、該受信手段で受信された入庫時刻情報および駐車場識別コードを記憶媒体に記録する記録手段とを含み、固定端末は、記憶媒体に記録されている入庫時刻情報および駐車場識別コードを読み出す読出し手段と、現在時刻を出力する時計手段と、読出し手段で読み出された入庫時刻と時計手段から出力された現在時刻とから駐車時間を算出する駐車時間算出手段と、施設に併設された複数の駐車場に対応して、各駐車場における駐車時間に対応する駐車料金を示す複数の料金表を予め記憶した記憶手段と、記憶手段に予め記憶されている複数の料金表の中から読出し手段で読み出された駐車場識別コードに応じて読み出された料金表と算出された駐車時間とを表示する表示手段とを含むので、利用中の駐車場に関する入庫時刻から現在時刻までの現時点の駐車時間を算出して、料金表と共に報知することができ、顧客は、複数の駐車場の中で利用中の駐車場の名前を覚えておく必要が無い。
【００３９】
上記課題を解決するためになされた請求項１６記載の発明は、前記入口路上機は、駐車場識別コードを予め記憶した記憶手段と、現在時刻を出力する時計手段と、上記時計手段から出力される現在時刻を入庫時刻情報として送信すると共に、上記記憶手段に予め記憶されている上記駐車場識別コードを送信する送信手段とを含み、前記車載器は、前記入口路上機から送信される前記入庫時刻情報および上記駐車場識別コードを受信する受信手段と、該受信手段で受信された前記入庫時刻情報および上記駐車場識別コードを前記記憶媒体に記録する記録手段とを含み、前記固定端末は、前記記憶媒体に記録されている前記入庫時刻情報および前記駐車場識別コードを読み出す読出し手段と、現在時刻を出力する時計手段と、上記読出し手段で読み出された前記入庫時刻と上記時計手段から出力された上記現在時刻とから駐車時間を算出する駐車時間算出手段と、前記施設に併設された複数の駐車場に対応して、各駐車場における駐車時間に対応する駐車料金を示す複数の料金表を予め記憶した記憶手段と、上記記憶手段に予め記憶されている上記複数の料金表の中から上記読出し手段で読み出された上記駐車場識別コードに応じて読み出された料金表を参照して、上記算出された駐車時間に対応する駐車料金の現在額を算出する駐車料金算出手段と、上記駐車場識別コードに応じて読み出された料金表と上記駐車料金の現在額とを表示する表示手段とを含むことを特徴とする請求項５記載の駐車料金収集システムに存する。
【００４０】
請求項１６記載の発明によれば、入口路上機は、駐車場識別コードを予め記憶した記憶手段と、現在時刻を出力する時計手段と、時計手段から出力される現在時刻を入庫時刻情報として送信すると共に、記憶手段に予め記憶されている駐車場識別コードを送信する送信手段とを含み、車載器は、入口路上機から送信される入庫時刻情報および駐車場識別コードを受信する受信手段と、該受信手段で受信された入庫時刻情報および駐車場識別コードを記憶媒体に記録する記録手段とを含み、固定端末は、記憶媒体に記録されている入庫時刻情報および駐車場識別コードを読み出す読出し手段と、現在時刻を出力する時計手段と、読出し手段で読み出された入庫時刻と時計手段から出力された現在時刻とから駐車時間を算出する駐車時間算出手段と、施設に併設された複数の駐車場に対応して、各駐車場における駐車時間に対応する駐車料金を示す複数の料金表を予め記憶した記憶手段と、記憶手段に予め記憶されている複数の料金表の中から読出し手段で読み出された駐車場識別コードに応じて読み出された料金表を参照して、算出された駐車時間に対応する駐車料金の現在額を算出する駐車料金算出手段と、駐車場識別コードに応じて読み出された料金表と駐車料金の現在額とを表示する表示手段とを含むので、利用中の駐車場に関する駐車料金の現在額を算出して、料金表と共に報知することができ、顧客は、複数の駐車場の中で利用中の駐車場の名前を覚えておく必要が無い。
【００４１】
上記課題を解決するためになされた請求項１７記載の発明は、前記入口路上機は、駐車場識別コードを予め記憶した記憶手段と、現在時刻を出力する時計手段と、上記時計手段から出力される現在時刻を入庫時刻情報として送信すると共に、上記記憶手段に予め記憶されている上記駐車場識別コードを送信する送信手段とを含み、前記車載器は、前記入口路上機から送信される前記入庫時刻情報および上記駐車場識別コードを受信する受信手段と、該受信手段で受信された前記入庫時刻情報および上記駐車場識別コードを前記記憶媒体に記録する記録手段とを含み、前記固定端末は、前記記憶媒体に記録されている前記入庫時刻情報および前記駐車場識別コードを読み出す読出し手段と、現在時刻を出力する時計手段と、上記読出し手段で読み出された前記入庫時刻と上記時計手段から出力された上記現在時刻とから駐車時間を算出する駐車時間算出手段と、前記施設に併設された複数の駐車場に対応して、各駐車場における駐車時間に対応する駐車料金を示す複数の料金表を予め記憶した記憶手段と、上記記憶手段に予め記憶されている上記複数の料金表の中から上記読出し手段で読み出された上記駐車場識別コードに応じて読み出された料金表を参照して、上記算出された駐車時間に対応する駐車料金の現在額を算出する駐車料金算出手段と、算出された上記駐車時間および上記駐車料金の現在額を表示する表示手段とを含むことを特徴とする請求項６記載の駐車料金収集システムに存する。
【００４２】
請求項１７記載の発明によれば、入口路上機は、駐車場識別コードを予め記憶した記憶手段と、現在時刻を出力する時計手段と、時計手段から出力される現在時刻を入庫時刻情報として送信すると共に、記憶手段に予め記憶されている駐車場識別コードを送信する送信手段とを含み、車載器は、入口路上機から送信される入庫時刻情報および駐車場識別コードを受信する受信手段と、該受信手段で受信された入庫時刻情報および駐車場識別コードを記憶媒体に記録する記録手段とを含み、固定端末は、記憶媒体に記録されている入庫時刻情報および駐車場識別コードを読み出す読出し手段と、現在時刻を出力する時計手段と、読出し手段で読み出された入庫時刻と時計手段から出力された現在時刻とから駐車時間を算出する駐車時間算出手段と、施設に併設された複数の駐車場に対応して、各駐車場における駐車時間に対応する駐車料金を示す複数の料金表を予め記憶した記憶手段と、記憶手段に予め記憶されている複数の料金表の中から読出し手段で読み出された駐車場識別コードに応じて読み出された料金表を参照して、算出された駐車時間に対応する駐車料金の現在額を算出する駐車料金算出手段と、算出された駐車時間および駐車料金の現在額を表示する表示手段とを含むので、利用中の駐車場に関する入庫時刻から現在時刻までの現時点の駐車時間と駐車料金の現在額とを報知することができ、顧客は、複数の駐車場の中で利用中の駐車場の名前を覚えておく必要が無い。
【００４３】
上記課題を解決するためになされた請求項１８記載の発明は、前記入口路上機は、駐車時間に対応する駐車料金を示す料金表を予め記憶した記憶手段と、現在時刻を出力する時計手段と、上記時計手段から出力される現在時刻を入庫時刻情報として送信すると共に、上記記憶手段に予め記憶されている上記料金表を送信する送信手段とを含み、前記車載器は、前記入口路上機から送信される前記入庫時刻情報および上記料金表を受信する受信手段と、該受信手段で受信された前記入庫時刻情報および上記料金表を前記記憶媒体に記録する記録手段とを含み、前記固定端末は、前記記憶媒体に記録されている前記入庫時刻情報および上記料金表を読み出す読出し手段と、現在時刻を出力する時計手段と、上記読出し手段で読み出された前記入庫時刻と上記時計手段から出力された上記現在時刻とから駐車時間を算出する駐車時間算出手段と、上記読出し手段で読み出された上記料金表と、算出された上記駐車時間とを表示する表示手段とを含むことを特徴とする請求項４記載の駐車料金収集システムに存する。
【００４４】
請求項１８記載の発明によれば、入口路上機は、駐車時間に対応する駐車料金を示す料金表を予め記憶した記憶手段と、現在時刻を出力する時計手段と、時計手段から出力される現在時刻を入庫時刻情報として送信すると共に、記憶手段に予め記憶されている料金表を送信する送信手段とを含み、車載器は、入口路上機から送信される入庫時刻情報および料金表を受信する受信手段と、該受信手段で受信された入庫時刻情報および料金表を記憶媒体に記録する記録手段とを含み、固定端末は、記憶媒体に記録されている入庫時刻情報および料金表を読み出す読出し手段と、現在時刻を出力する時計手段と、読出し手段で読み出された入庫時刻と時計手段から出力された現在時刻とから駐車時間を算出する駐車時間算出手段と、読出し手段で読み出された料金表と、算出された駐車時間とを表示する表示手段とを含むので、入庫時刻から現在時刻までの現時点の駐車時間を算出して、料金表と共に報知することができ、料金体系の変更時、固定端末側の変更を要しないという利点がある。
【００４５】
上記課題を解決するためになされた請求項１９記載の発明は、前記入口路上機は、駐車時間に対応する駐車料金を示す料金表を予め記憶した記憶手段と、現在時刻を出力する時計手段と、上記時計手段から出力される現在時刻を入庫時刻情報として送信すると共に、上記記憶手段に予め記憶されている上記料金表を送信する送信手段とを含み、前記車載器は、前記入口路上機から送信される前記入庫時刻情報および上記料金表を受信する受信手段と、該受信手段で受信された前記入庫時刻情報および上記料金表を前記記憶媒体に記録する記録手段とを含み、前記固定端末は、前記記憶媒体に記録されている前記入庫時刻情報および上記料金表を読み出す読出し手段と、現在時刻を出力する時計手段と、上記読出し手段で読み出された前記入庫時刻と上記時計手段から出力された上記現在時刻とから駐車時間を算出する駐車時間算出手段と、上記読出し手段で読み出された上記料金表を参照して、上記算出された駐車時間に対応する駐車料金の現在額を算出する駐車料金算出手段と、上記読出し手段で読み出された上記料金表と算出された上記駐車料金の現在額とを表示する表示手段とを含むことを特徴とする請求項５記載の駐車料金収集システムに存する。
【００４６】
請求項１９記載の発明によれば、入口路上機は、駐車時間に対応する駐車料金を示す料金表を予め記憶した記憶手段と、現在時刻を出力する時計手段と、時計手段から出力される現在時刻を入庫時刻情報として送信すると共に、記憶手段に予め記憶されている料金表を送信する送信手段とを含み、車載器は、入口路上機から送信される入庫時刻情報および上記料金表を受信する受信手段と、該受信手段で受信された入庫時刻情報および料金表を記憶媒体に記録する記録手段とを含み、固定端末は、記憶媒体に記録されている入庫時刻情報および料金表を読み出す読出し手段と、現在時刻を出力する時計手段と、読出し手段で読み出された入庫時刻と時計手段から出力された現在時刻とから駐車時間を算出する駐車時間算出手段と、読出し手段で読み出された料金表を参照して、算出された駐車時間に対応する駐車料金の現在額を算出する駐車料金算出手段と、読出し手段で読み出された料金表と算出された駐車料金の現在額とを表示する表示手段とを含むので、駐車料金の現在額を算出して、料金表と共に報知することができ、料金体系の変更時、固定端末側の変更を要しないという利点がある。
【００４７】
上記課題を解決するためになされた請求項２０記載の発明は、前記入口路上機は、駐車時間に対応する駐車料金を示す料金表を予め記憶した記憶手段と、現在時刻を出力する時計手段と、上記時計手段から出力される現在時刻を入庫時刻情報として送信すると共に、上記記憶手段に予め記憶されている上記料金表を送信する送信手段とを含み、前記車載器は、前記入口路上機から送信される前記入庫時刻情報および上記料金表を受信する受信手段と、該受信手段で受信された前記入庫時刻情報および上記料金表を前記記憶媒体に記録する記録手段とを含み、前記固定端末は、前記記憶媒体に記録されている前記入庫時刻情報および上記料金表を読み出す読出し手段と、現在時刻を出力する時計手段と、上記読出し手段で読み出された前記入庫時刻と上記時計手段から出力された上記現在時刻とから駐車時間を算出する駐車時間算出手段と、上記読出し手段で読み出された上記料金表を参照して、上記算出された駐車時間に対応する駐車料金の現在額を算出する駐車料金算出手段と、算出された上記駐車時間と上記駐車料金の現在額とを表示する表示手段とを含むことを特徴とする請求項６記載の駐車料金収集システムに存する。
【００４８】
請求項２０記載の発明によれば、入口路上機は、駐車時間に対応する駐車料金を示す料金表を予め記憶した記憶手段と、現在時刻を出力する時計手段と、時計手段から出力される現在時刻を入庫時刻情報として送信すると共に、記憶手段に予め記憶されている料金表を送信する送信手段とを含み、車載器は、入口路上機から送信される入庫時刻情報および料金表を受信する受信手段と、該受信手段で受信された前記入庫時刻情報および上記料金表を前記記憶媒体に記録する記録手段とを含み、前記固定端末は、前記記憶媒体に記録されている前記入庫時刻情報および上記料金表を読み出す読出し手段と、現在時刻を出力する時計手段と、上記読出し手段で読み出された前記入庫時刻と上記時計手段から出力された上記現在時刻とから駐車時間を算出する駐車時間算出手段と、上記読出し手段で読み出された上記料金表を参照して、上記算出された駐車時間に対応する駐車料金の現在額を算出する駐車料金算出手段と、算出された駐車時間と駐車料金の現在額とを表示する表示手段とを含むので、入庫時刻から現在時刻までの現時点の駐車時間と駐車料金の現在額とを算出して、報知することができ、料金体系の変更時、固定端末側の変更を要しないという利点がある。
【００４９】
上記課題を解決するためになされた請求項２１記載の発明は、所定の施設に併設された駐車場における駐車時間に対応した駐車料金を精算して収集する駐車料金収集システムであって、記憶媒体と、上記駐車場の入口に設置され、車両が上記駐車場に入庫する際の入庫時刻情報を上記入口付近の狭域に送信する入口路上機と、上記施設内に設置され、上記入庫時刻情報に基づいて駐車時間を算出し、料金表と算出された上記駐車時間とを表示する固定端末と、を備えている駐車料金収集システムで使用される車載器であって、上記入口路上機から送信される上記入庫時刻情を受信する受信手段と、該受信手段で受信された上記入庫時刻情報を上記記憶媒体に記録する記録手段と、を含むことを特徴とする駐車料金収集システム用車載器に存する。
【００５０】
請求項２１記載の発明によれば、駐車料金収集システム用車載器は、所定の施設に併設された駐車場における駐車時間に対応した駐車料金を精算して収集する駐車料金収集システムであって、記憶媒体と、駐車場の入口に設置され、車両が駐車場に入庫する際の入庫時刻情報を入口付近の狭域に送信する入口路上機と、施設内に設置され、入庫時刻情報に基づいて駐車時間を算出し、料金表と算出された駐車時間とを表示する固定端末と、を備えている駐車料金収集システムで使用される車載器であって、入口路上機から送信される入庫時刻情報を受信する受信手段と、該受信手段で受信された入庫時刻情報を記憶媒体に記録する記録手段と、を含むので、駐車時間および駐車料金の算出の基となる入庫時刻情報を記憶媒体に確実に書き込むことができる。
【００５１】
【発明の実施の形態】
以下、本発明による駐車料金収集システムの実施の形態について図面を参照しながら説明する。
【００５２】
図１は、本発明による駐車料金収集システムの第１の実施形態の概略構成を示す構成図である。図１において、駐車料金収集システムは、入口路上機１、車載器２、ＩＣカード３および固定端末４から構成されている。
【００５３】
入口路上機１は、所定の施設、たとえばショッピングセンタ、に併設された駐車場（図示しない）の入口に設けられ、駐車場に入庫する車両Ｍに搭載した車載器２に入庫時刻情報を送信するものであり、ＩＣカード３は、携帯可能な記憶媒体であり、たとえばＥＴＣ決済用のＩＣカードが使用され、車載器２に装着される。このＩＣカード３に車載器２で受信した入庫時刻情報が書き込まれる。
【００５４】
入口路上機１は、図２に示すように、全体制御を行うＣＰＵ１ａと、現在時刻を計時する時計手段としての時計部１ｂと、ＣＰＵ１ａの制御に基づき、時計部１ｂよりの現在時刻を示すデータを入庫時刻情報としてＤＳＲＣの５．８ＧＨｚ帯の送信信号で送信する送信手段としてのＤＳＲＣ送信機１ｃと、ＤＳＲＣ送信機１ｃからの送信信号で駆動されてＤＳＲＣの５．８ＧＨｚ帯の電波を送信するアンテナ１ｄとから構成されている。アンテナ１ｄは、たとえば図３に示すように、車両Ｍを通過させる駐車場の入口ゲートＧの上部に配置されている。
【００５５】
車載器２は、図４に示すように、全体制御を行うＣＰＵ２ａと、入口路上機１より送信された入庫時刻情報を含む送信信号を受信するアンテナ２ｂと、アンテナ２ｂで受信した送信信号を受信し、入庫時刻情報を復調する受信手段としてのＤＳＲＣ受信機２ｃと、受信した入庫時刻情報をＩＣカード３へ書き込む記録手段としてのカードライタ２ｄとから構成されている。車載器２は、たとえば図５に示すように、入口路上機１からの電波を受信し易くかつ操作のし易い、車両Ｍのダッシュボード上に配置する。
【００５６】
固定端末４は、入庫時刻情報が書き込まれたＩＣカード３が挿入されると、入庫時刻を読み取り、読み取った入庫時刻と現在時刻との差より駐車経過時間（駐車時間）を算出し、この算出結果に基づいて駐車料金の現在額を求めると共に、駐車時間、駐車料金および駐車料金を求める際に参照した料金表を表示する。
【００５７】
固定端末４は、図６に示すように、全体制御を行うと共に駐車時間算出手段および駐車料金算出手段として働くＣＰＵ４ａと、挿入されるＩＣカード３より入庫時刻を読み取る読出し手段としてのカードリーダ４ｂと、現在時刻を計時する時計手段としての時計部４ｃと、駐車時間に対する駐車料金の関係を表に示した料金表を予め記憶した記憶手段としてのＲＯＭ（リードオンリーメモリ）４ｄと、表示手段としてのＬＣＤ（液晶ディスプレイ）４ｅとから構成されている。ＣＰＵ４ａは、時計部４ｃよりの現在時刻とカードリーダ４ｂが読み取った入庫時刻とを入力し、これらの時刻の差より駐車時間を算出すると共に、ＲＯＭ４ｄに予め記憶された料金表を読み出し、この料金表と算出された駐車時間との照合により駐車料金の現在額を算出し、算出された駐車時間、駐車料金および料金表をＬＣＤ４ｅに表示させる。
【００５８】
ＲＯＭ４ｄに予め記憶される料金表は、たとえば、駐車時間の基準時間３０分以内の場合、基本料金３００円で、基準時間を超える超過時間１０分毎に超過料金１００円という料金体系になっている。
【００５９】
固定端末４の外観は、図７に示すように、筐体の上面に、ＬＣＤ４ｅの表示パネルＤとカードリーダ４ｂのカード挿入口ＳＴが設けられている。表示パネルＤの表示例としては、たとえば図８に示すように、「入庫時刻」、「現在の時刻」、「現在の駐車時間」、「現在の駐車料金」、および駐車場（たとえば、駐車場Ａ）の料金テーブル（料金表）等が表示される。
【００６０】
次に、上述の構成を有する第１の実施形態に係る駐車料金収集システムの動作について説明する。まず、入口路上機１の立ち上げに伴い電源スイッチ（図示しない）をオンにして電源を入れる。この結果、ＣＰＵ１ａは、時計部１ｂから現在時刻を取得し、入庫時刻情報として送信用データに変換してＤＳＲＣ送信機１ｃへ供給する。ＤＳＲＣ送信機１ｃは、送信用データに変換された入庫時刻情報を５．８ＧＨｚ帯のＤＳＲＣ送信信号に変調し、アンテナ１ｄから車両Ｍが通過する入口ゲートＧ付近の路上に向けて送信する。この結果、路上にＤＳＲＣの狭域通信エリアが形成される。入口路上機１は、以上の送信動作を所定の時間間隔で繰り返す。
【００６１】
一方、車載器２にＩＣカード３を挿入した顧客の車両Ｍが、駐車場Ａの入口ゲートＧにおけるＤＳＲＣの狭域通信エリアを通過すると、車載器２のＤＳＲＣ受信機２ｃは、狭域通信エリアに送信されている５．８ＧＨｚ帯の電波をアンテナ２ｂを介して受信し、復調して入庫時刻情報を取得し、ＣＰＵ２ａに供給する。ＣＰＵ２ａは、供給された入庫時刻情報をカードライタ２ｄに入力し、カードライタ２ｄに挿入されているＩＣカード３へ入庫時刻情報を書き込む。
【００６２】
次いで、顧客は、駐車場Ａの所定の駐車枠に駐車した後に、車載器２より入庫時刻情報が書き込まれたＩＣカード３を引き抜き、ＩＣカード３を携帯してショッピングセンタ内の店舗へ買い物に向かう。顧客が、買い物の途中などにおいて駐車時間や駐車料金を確認したい場合は、ショッピングセンタ内の数個所に設置されている固定端末４のうち最寄りの固定端末４のカード挿入口ＳＴにＩＣカード３を挿入する。
【００６３】
固定端末４のＣＰＵ４ａは、カードリーダ４ｂにより、挿入されたＩＣカード３から入庫時刻情報を読み取り、読み取った入庫時刻と時計部４ｃからの現在時刻の差から現在の駐車経過時間（駐車時間）を算出する。次いで、ＣＰＵ４ａは、ＲＯＭ４ｄに予め記憶された料金表を参照し、この料金表と算出された駐車時間との照合により駐車料金の現在額を算出する。次いで、ＣＰＵ４ａは、算出された駐車時間、駐車料金の現在額および料金表を、入庫時刻および現在時刻と共にＬＣＤ４ｅの表示パネルＤに表示させる。
【００６４】
それにより、顧客は、必要なときに固定端末４の表示により現在の駐車時間や駐車料金の現在額を確認することができ、そして、駐車場の出口に設置されている出口精算機（図示しない）で駐車料金を精算して出庫することができる。出口における精算は、現金やプリペイドカードを利用することができ、それ以外にも、ＩＣカードに記録されている現金情報を利用しても良い。
【００６５】
上述の動作における固定端末４のＣＰＵ４ａの処理は、図９のフローチャートに示される。まず、ＣＰＵ４ａは、カードリーダ４ｂよりＩＣカード３のデータを読み出す（ステップＳ１）。次いで、読み出したデータの中に、入庫時刻情報があるか否かを判定し（ステップＳ３）、入庫時刻情報がない場合は再度ステップＳ１に戻る。入庫時刻情報があれば、ＣＰＵ４ａは、時計部４ｃより現在時刻を取得し、現在の時刻と入庫時刻との差より駐車経過時間（駐車時間）を演算する（ステップＳ５）。次いで、ＣＰＵ４ａは、ＲＯＭ４ｄより予め記憶されている料金表を読み出し、読み出した料金表を参照して、現在の駐車時間に対応する駐車料金の現在額を演算する（ステップＳ７）。
【００６６】
演算の例として、たとえば、入庫時刻が１２時２０分、現在の時刻が１３時１０分とすると、現在の駐車時間は５０分となる。そして、駐車場の料金表より基準時間３０分に対応する基準料金が３００円、以降１０分経過する毎に１００円が加算されることが参照されると、駐車料金の現在額は、５００円と演算される。
【００６７】
次いで、ＣＰＵ４ａは、入庫時刻と、現在の時刻と、算出された現在の駐車時間と、算出された駐車料金の現在額と、駐車場Ａの料金表とをＬＣＤ４ｅの表示パネルＤに表示させる（ステップＳ９）。
【００６８】
以上のように、本発明の第１の実施形態によれば、携帯可能なＩＣカード３に入庫時刻を記録しているので、顧客は、必要な時に固定端末４にＩＣカード３を挿入し、固定端末４の表示パネルＤを見て入庫時刻や現在の駐車時間を確認することができる。また、駐車場の料金表も表示されるので、顧客は、駐車料金の現在額も知ることができ、追加料金が加算されるまでの時間も知ることができる。また、入庫時刻情報の記録には、ＥＴＣ決済用のＩＣカード３を使用しているので、駐車時間の確認用に新たなカードを用意する必要がない。さらに、出庫時にこのＥＴＣ決済用のＩＣカード３を用いて、駐車料金の精算を行うことができる。
【００６９】
次に、本発明による駐車料金収集システムの第２の実施形態について説明する。上述の第１の実施形態では、ショッピングセンタに併設された１つの駐車場を例にとって説明したが、町中の商店街のように近隣の複数の駐車場と契約を結んでいる場合は、駐車場毎に料金体系が異なっている場合がある。たとえば、駐車場Ａは、基準時間３０分以内の基本料金３００円で基準時間を超える超過時間１０分毎に超過料金１００円、駐車場Ｂは、基準時間３０分以内の基本料金５００円で基準時間を超える超過時間１５分毎に超過料金１５０円、駐車場Ｃは、基準時間２０分以内は基準料金２００円で基準時間を超える超過時間１０分毎に超過料金１２０円というように、料金体系が異なる場合がある。第２の実施形態に係る駐車料金収集システムは、このように駐車場毎に料金体系が異なった場合でも対処できるように構成されるものである。
【００７０】
以下、第２の実施形態に係る駐車料金収集システムについて図面を参照しながら説明する。図１０は、本発明による駐車料金収集システムの第２の実施形態の概略構成を示す構成図である。図１０において、駐車料金収集システムは、入口路上機１Ａ、入口路上機１Ｂ、入口路上機１Ｃ、車載器２、ＩＣカード３および固定端末４から構成されている。
【００７１】
入口路上機１Ａ、入口路上機１Ｂおよび入口路上機１Ｃは、たとえば商店街近隣の駐車場Ａ、駐車場Ｂ、駐車場Ｃの各入口にそれぞれ設けられ、これらの構成は、図２に示した第１の実施形態における入口路上機１の構成と同一であるが、それぞれ、駐車場Ａ、駐車場Ｂおよび駐車場Ｃへの入庫時刻情報を送信する。また、車載器２の構成も、図４に示した第１の実施形態の構成と同一である。
【００７２】
固定端末４は、図１１に示すように、図６に示した第１の実施形態の構成に加えて、駐車場選択手段としての駐車場選択スイッチ４ｆを備えている。固定端末４は、料金体系の異なる各駐車場Ａ，Ｂ，Ｃに対応した複数の料金表をＲＯＭ４ｄに予め記憶させておき、駐車場選択スイッチ４ｆにより選択した料金表をＲＯＭ４ｄから読み出すことができる。
【００７３】
固定端末４は、図１２に示すように、筐体の上面等の操作面に、ＬＣＤ４ｅの表示パネルＤとカードリーダ４ｂのカード挿入口ＳＴと、それぞれ、駐車場Ａ，Ｂ，Ｃに対応する、駐車場選択手段の一部としての駐車場選択ボタンＢ１，Ｂ２，Ｂ３が設けられている。これらの駐車場選択ボタンＢ１，Ｂ２，Ｂ３のいずれかを押すことにより、押された駐車場選択ボタンに対応する駐車場選択信号が、図１１の駐車場選択スイッチ４ｆからＣＰＵ４ａに供給される。
【００７４】
表示パネルＤの表示例としては、たとえば図１３に示すように、選択された駐車場、たとえば駐車場Ｂにおける「入庫時刻」、「現在の時刻」、「現在の駐車時間」、「現在の駐車料金」、および駐車場の料金表等が表示される。
【００７５】
次に、上述の構成を有する第２の実施形態に係る駐車料金収集システムの動作について説明する。なお、ここでは、駐車場Ａ，Ｂ，Ｃのうち駐車場Ｂを利用した場合について説明する。まず、入口路上機１Ａ，１Ｂ，１Ｃの立ち上げの説明は、第１の実施形態における入口路上機１と同じであるので、ここでは省略する。
【００７６】
車載器２にＩＣカード３を挿入した顧客の車両Ｍが、駐車場Ｂの入口ゲートＧにおける入口路上機１ＢのＤＳＲＣの狭域通信エリアを通過すると、車載器２のＤＳＲＣ受信機２ｃは、狭域通信エリアに送信されている５．８ＧＨｚ帯の電波をアンテナ２ｂを介して受信し、復調して駐車場Ｂへの入庫時刻情報を取得し、ＣＰＵ２ａに供給する。ＣＰＵ２ａは、供給された駐車場Ｂへの入庫時刻情報をカードライタ２ｄに入力し、カードライタ２ｄに挿入されているＩＣカード３へ記録する。
【００７７】
次いで、顧客は、駐車場Ｂの所定の駐車枠に駐車した後に、車載器２よりＩＣカード３を引き抜き、ＩＣカード３を携帯してショッピングセンタ内の店舗へ買い物に向かう。顧客が、ショッピングセンタにおいて駐車時間および利用料金を確認する必要が生じたならば、ショッピングセンタ内の最寄りの場所に設置されている固定端末４にＩＣカード３を挿入し、駐車場Ｂに対応する駐車場選択ボタンＢ２を押す。
【００７８】
固定端末４のＣＰＵ４ａは、カードリーダ４ｂに挿入されたＩＣカード３から駐車場Ｂへの入庫時刻情報を読み取り、読み取った入庫時刻と時計部４ｃからの現在時刻の差から駐車場Ｂにおける現在の駐車経過時間（駐車時間）を算出する。次いで、ＣＰＵ４ａは、顧客が押した駐車場選択ボタンＢ２に対応する駐車場選択スイッチ４ｆからの駐車場選択信号に基づき、ＲＯＭ４ｄに予め記憶された複数の料金表の中から駐車場Ｂの料金表を参照し、この駐車場Ｂの料金表と算出された駐車時間との照合により駐車場Ｂにおける駐車料金の現在額を算出する。次いで、ＣＰＵ４ａは、駐車場Ｂにおける、算出された駐車時間、駐車料金の現在額および料金表をＬＣＤ４ｅに表示させる。
【００７９】
顧客は、必要なときに固定端末４の表示により駐車料金の現在額を確認することができ、そして、駐車場の出口に設置されている出口精算機（図示しない）で駐車料金を精算して出庫することができる。
【００８０】
上述の動作における固定端末４のＣＰＵ４ａの処理は、図１４のフローチャートに示される。まず、ＣＰＵ４ａは、カードリーダ４ｂよりＩＣカード３のデータを読み出す（ステップＳ１１）。次いで、読み出したデータの中に、入庫時刻情報があるか否かを判定し（ステップＳ１３）、入庫時刻情報がない場合は再度ステップＳ１１に戻る。入庫時刻情報があれば、ＣＰＵ４ａは、時計部４ｃより現在時刻を取得し、現在の時刻と入庫時刻との差より駐車経過時間（駐車時間）を演算する（ステップＳ１５）。
【００８１】
次いで、ＣＰＵ４ａは、駐車場選択ボタンＢ１が押されたか否かを駐車場選択スイッチ４ｆからの駐車場選択信号に基づいて判定する（ステップＳ１７）。駐車場選択ボタンＢ１が押されていれば、ＣＰＵ４ａは、ＲＯＭ４ｄより駐車場Ａの料金表を読み出し（ステップＳ１９）、次いでステップＳ２９に進む。
【００８２】
一方、駐車場選択ボタンＢ１が押されていなければ、ＣＰＵ４ａは、駐車場選択ボタンＢ２が押されたか否かを駐車場選択スイッチ４ｆからの駐車場選択信号に基づいて判定する（ステップＳ２１）。駐車場選択ボタンＢ２が押されていれば、ＣＰＵ４ａは、ＲＯＭ４ｄより駐車場Ｂの料金表を読み出し（ステップＳ２３）、次いでステップＳ２９に進む。
【００８３】
一方、駐車場選択ボタンＢ２が押されていなければ、ＣＰＵ４ａは、駐車場選択ボタンＢ３が押されたか否かを駐車場選択スイッチ４ｆからの駐車場選択信号に基づいて判定する（ステップＳ２５）。駐車場選択ボタンＢ３が押されていれば、ＣＰＵ４ａは、ＲＯＭ４ｄより駐車場Ｃの料金表を読み出し（ステップＳ２７）、次いでステップＳ２９に進む。一方、駐車場選択ボタンＢ３が押されていなければ、ＣＰＵ４ａは、ステップＳ１７に戻る。
【００８４】
ステップＳ２９では、ＣＰＵ４ａは、駐車場選択ボタンＢ１，Ｂ２，Ｂ３のいずれかにより選択された駐車場の料金表をＲＯＭ４ｄより読み出し、読み出された料金表を参照して、ステップＳ１５で算出した駐車時間に対応する駐車料金の現在額を演算する（ステップＳ２９）。
【００８５】
この例では、駐車場Ｂが利用されているので、顧客が駐車場選択ボタンＢ２を押すことにより、ＣＰＵ４ａは、ＲＯＭ４ｄより駐車場Ｂの料金表を読み出して参照し、駐車場Ｂにおける駐車料金の現在額を演算する。
【００８６】
演算の例として、たとえば、駐車場Ｂへの入庫時刻が１０時００分、現在の時刻が１１時３０分とすると、現在の駐車時間は９０分となる。そして、ここでは駐車場Ｂを利用しているので、駐車場Ｂの料金表より始めの３０分が５００円、以降１５分経過する毎に１５０円が加算されることが参照され、駐車料金の現在額は、１１００円と演算される。
【００８７】
次いで、ＣＰＵ４ａは、駐車場Ｂへの入庫時刻と、現在の時刻と、算出された現在の駐車時間と、算出された駐車料金の現在額と、駐車場Ｂの料金表とをＬＣＤ４ｅの表示パネルＤに表示させる（ステップＳ３１）。
【００８８】
以上のように、本発明の第２の実施形態によれば、固定端末４における記憶手段（ＲＯＭ４ｄ）に複数の駐車場の料金表を記憶させておき、顧客の端末操作により利用中の駐車場の料金表を選択的に呼び出して料金計算を行わせるようにしたので、上述の実施形態の効果に加えて、１台の端末で、料金体系の異なる複数の駐車場の料金計算に対処することができるという効果がある。
【００８９】
次に、本発明による駐車料金収集システムの第３の実施形態について説明する。上述の第２の実施形態では、顧客が、利用中の駐車場に対応する駐車場選択ボタンを押すことにより、その駐車場における駐車料金の現在額を確認することができるように構成されているが、顧客が、ボタンを押し間違える操作ミスをしたり利用中の駐車場の名前を忘れたりするおそれがある。そこで、第３の実施形態に係る駐車料金収集システムは、入庫時に入口路上機からのＤＳＲＣ通信により車載器に入庫時刻と共に駐車場識別コードを送信し、ＩＣカードに記憶させ、固定端末は、ＩＣカードに記憶された駐車場識別コードに基づいて駐車場を自動的に識別するように構成されるものである。
【００９０】
以下、第３の実施形態に係る駐車料金収集システムについて図面を参照しながら説明する。第３の実施形態に係る駐車料金収集システムは、図１０に示す第２の実施形態の構成と同様に、入口路上機１Ａ、入口路上機１Ｂ、入口路上機１Ｃ、車載器２、ＩＣカード３および固定端末４から構成されている。
【００９１】
入口路上機１Ａ、入口路上機１Ｂおよび入口路上機１Ｃは、たとえば商店街近隣の駐車場Ａ、駐車場Ｂ、駐車場Ｃの各入口にそれぞれ設けられているが、これらの構成は、図１５に示すように、図２に示した第１および第２の実施形態における構成に加えて、記憶手段としてのＲＯＭ１ｅを備えている。入口路上機１Ａ、入口路上機１Ｂおよび入口路上機１Ｃは、それぞれ、駐車場Ａを識別する駐車場識別コードＩＤＡ　、駐車場Ｂを識別する駐車場識別コードＩＤＢ　および駐車場Ｃを識別する駐車場識別コードＩＤＣ　をＲＯＭ１ｅに予め記憶している。
【００９２】
車載器２の構成は、図４に示した第１および第２の実施形態の構成と同一である。固定端末４の構成は、図６に示した第１の実施形態の構成と同一であるが、ＲＯＭ４ｄには、駐車場Ａ，Ｂ，Ｃの料金表が予め記憶されている。
【００９３】
次に、上述の構成を有する第３の実施形態に係る駐車料金収集システムの動作について説明する。なお、ここでは、駐車場Ａ，Ｂ，Ｃのうち駐車場Ｃを利用した場合について説明する。まず、入口路上機１Ａ，１Ｂ，１Ｃの立ち上げに伴い、それぞれ電源スイッチ（図示しない）をオンにして電源を入れる。この結果、入口路上機１ＣのＣＰＵ１ａは、時計部１ｂから現在時刻、すなわち、駐車場Ｃへの入庫時刻情報、を取得すると共にＲＯＭ１ｅから駐車場Ｃを識別する駐車場識別コードＩＤＣ　を読み出し、入庫時刻情報および駐車場識別コードＩＤＣ　を送信用データに変換してＤＳＲＣ送信機１ｃへ供給する。ＤＳＲＣ送信機１ｃは、送信用データに変換された入庫時刻情報と駐車場識別コードＩＤＣ　を５．８ＧＨｚ帯のＤＳＲＣ送信信号に変調し、アンテナ１ｄから車両Ｍが通過する入口ゲートＧ付近の路上に向けて送信する。この結果、路上にＤＳＲＣの狭域通信エリアが形成される。入口路上機１は、以上の送信動作を所定の時間間隔で繰り返す。
【００９４】
一方、車載器２にＩＣカード３を挿入した顧客の車両Ｍが、駐車場Ｃの入口ゲートＧにおけるＤＳＲＣの狭域通信エリアを通過すると、車載器２のＤＳＲＣ受信機２ｃは、狭域通信エリアに送信されている５．８ＧＨｚ帯の電波をアンテナ２ｂを介して受信し、復調して駐車場Ｃへの入庫時刻情報および駐車場識別コードＩＤＣ　のデータを取得し、ＣＰＵ２ａに供給する。ＣＰＵ２ａは、供給された入庫時刻情報および駐車場識別コードＩＤＣ　のデータをカードライタ２ｄに入力し、カードライタ２ｄに挿入されているＩＣカード３へ記録する。
【００９５】
次いで、顧客は、駐車場Ｃの所定の駐車枠に駐車した後に、車載器２より駐車場Ｃの入庫時刻情報および駐車場識別コードＩＤＣ　が記録されたＩＣカード３を引き抜き、ＩＣカード３を携帯してショッピングセンタ内の店舗へ買い物に向かう。顧客が、ショッピングセンタにおいて駐車時間および利用料金を確認する必要が生じたならば、ショッピングセンタ内の最寄りの場所に設置されている固定端末４にＩＣカード３を挿入する。
【００９６】
固定端末４のＣＰＵ４ａは、カードリーダ４ｂに挿入されたＩＣカード３から駐車場Ｃの入庫時刻および駐車場識別コードＩＤＣ　を読み取る。次いで、ＣＰＵ４ａは、ＩＣカード３から読み取った入庫時刻と時計部４ｃからの現在時刻の差から現在の駐車経過時間（駐車時間）を算出する。次いで、ＣＰＵ４ａは、ＩＣカード３から読み取った駐車場識別コードＩＤＣ　に基づき、ＲＯＭ４ｄに予め記憶された複数の料金表の中から駐車場Ｃの料金表を参照し、この料金表と算出された駐車時間との照合により駐車料金の現在額を算出する。次いで、ＣＰＵ４ａは、駐車場Ｃに関して算出された駐車時間、駐車料金の現在額および料金表をＬＣＤ４ｅに表示させる。
【００９７】
顧客は、必要なときに固定端末４の表示により駐車料金の現在額を確認することができ、そして、駐車場の出口に設置されている出口精算機（図示しない）で駐車料金を精算して出庫することができる。
【００９８】
上述の動作における固定端末４のＣＰＵ４ａの処理は、図１６のフローチャートに示される。まず、ＣＰＵ４ａは、カードリーダ４ｂよりＩＣカード３のデータを読み出す（ステップＳ４１）。次いで、ＩＣカード３から読み出したデータの中に、入庫時刻情報があるか否かを判定し（ステップＳ４３）、入庫時刻情報がない場合は再度ステップＳ４１に戻る。入庫時刻情報があれば、ＣＰＵ４ａは、時計部４ｃより現在時刻を取得し、現在の時刻と入庫時刻との差より駐車経過時間（駐車時間）を演算する（ステップＳ４５）。
【００９９】
次いで、ＣＰＵ４ａは、ＩＣカード３から読み出したデータの中に、駐車場識別コードがあるか否かを判定し（ステップＳ４７）、駐車場識別コードがない場合は再度ステップＳ４１に戻る。駐車場識別コードがあれば、ＣＰＵ４ａは、確認された駐車場識別コード、この例では駐車場識別コードＩＤＣ　、に基づき、ＲＯＭ４ｄより駐車場Ｃの料金表を読み出す（ステップＳ４９）。
【０１００】
次いで、ＣＰＵ４ａは、ＲＯＭ４ｄより読み出された駐車場Ｃの料金表を参照して、ステップＳ４５で算出した駐車時間に対応する駐車料金の現在額を演算する（ステップＳ５１）。
【０１０１】
演算の例として、たとえば、入庫時刻が１０時００分、現在の時刻が１１時３０分とすると、現在の駐車時間は９０分となる。そして、ここでは駐車場Ｃを利用しているので、駐車場Ｃの料金表より始めの２０分が２００円、以降１０分経過する毎に１２０円が加算されることが参照され、駐車料金の現在額は、１０４０円と演算される。
【０１０２】
次いで、ＣＰＵ４ａは、駐車場Ｃに関して、入庫時刻と、現在の時刻と、算出された現在の駐車時間と、算出された駐車料金の現在額と、料金表とをＬＣＤ４ｅの表示パネルＤに表示させる（ステップＳ５３）。
【０１０３】
以上のように、本発明の第３実施形態によれば、入庫時に入口路上機１から入庫時刻と共に駐車場識別コードを送信して、車載器２によりＩＣカード３に記憶させ、固定端末４におけるメモリ（ＲＯＭ４ｄ）に複数の駐車場の料金表を記憶させておき、固定端末４に挿入されたＩＣカード３より読み出した駐車場識別コードに基づいて、利用中の駐車場の料金表を自動的に呼び出して料金計算を行わせるように構成されているので、上述の実施形態の効果に加えて、顧客は利用中の駐車場の名前を覚えておく必要が無く、利用料金の算出を誤ることがないという効果がある。
【０１０４】
次に、本発明による駐車料金収集システムの第４の実施形態について説明する。上述の第２および第３の実施形態では、固定端末は、複数の駐車場の料金表を予め記憶しているが、料金体系の変更があった場合には、全ての固定端末のＲＯＭを書き換えなければならず、非常に手間がかかる。そこで、第４の実施形態に係る駐車料金収集システムは、入庫時に入口路上機からのＤＳＲＣ通信により車載器に入庫時刻と共に駐車場の料金表を送信するように構成し、料金体系の変更があった場合に、固定端末側の変更が不要になるように構成されるものである。
【０１０５】
以下、第４の実施形態に係る駐車料金収集システムについて図面を参照しながら説明する。第４の実施形態に係る駐車料金収集システムは、図１０に示す第２の実施形態の構成と同様に、入口路上機１Ａ、入口路上機１Ｂ、入口路上機１Ｃ、車載器２、ＩＣカード３および固定端末４から構成されている。
【０１０６】
入口路上機１Ａ、入口路上機１Ｂおよび入口路上機１Ｃの構成は、図１５に示す第３の実施形態における構成と同一であるが、それぞれ、駐車場Ａの料金表、駐車場Ｂの料金表および駐車場Ｃの料金表をＲＯＭ１ｅに予め記憶している。
【０１０７】
車載器２の構成は、図４に示した第１、第２および第３の実施形態の構成と同一である。固定端末４の構成は、図１７に示すように、ＣＰＵ４ａ、カードリーダ４ｂ、時計部４ｃおよびＬＣＤ４ｅから構成される。すなわち、第４の実施形態の固定端末４は、図６に示す第１の実施形態の固定端末４の構成から、ＲＯＭ４ｄを省略した構成を有する。
【０１０８】
次に、上述の構成を有する第４の実施形態に係る駐車料金収集システムの動作について説明する。なお、ここでは、駐車場Ａ，Ｂ，Ｃのうち駐車場Ａを利用した場合について説明する。まず、入口路上機１Ａ，１Ｂ，１Ｃの立ち上げに伴い、それぞれ電源スイッチ（図示しない）をオンにして電源を入れる。この結果、入口路上機１ＡのＣＰＵ１ａは、時計部１ｂから現在時刻を取得すると共にＲＯＭ１ｅから駐車場Ａの料金表を読み出し、現在時刻、すなわち駐車場Ａの入庫時刻情報および駐車場Ａの料金表を送信用データに変換してＤＳＲＣ送信機１ｃへ供給する。ＤＳＲＣ送信機１ｃは、送信用データに変換された入庫時刻情報および駐車場Ａの料金表を５．８ＧＨｚ帯のＤＳＲＣ送信信号に変調し、アンテナ１ｄから車両Ｍが通過する入口ゲートＧ付近の路上に向けて送信する。この結果、路上にＤＳＲＣの狭域通信エリアが形成される。入口路上機１は、以上の送信動作を所定の時間間隔で繰り返す。
【０１０９】
一方、車載器２にＩＣカード３を挿入した顧客の車両Ｍが、駐車場Ａの入口ゲートＧにおけるＤＳＲＣの狭域通信エリアを通過すると、車載器２のＤＳＲＣ受信機２ｃは、狭域通信エリアに送信されている５．８ＧＨｚ帯の電波をアンテナ２ｂを介して受信し、復調して駐車場Ａの入庫時刻情報および料金表のデータを取得し、ＣＰＵ２ａに供給する。ＣＰＵ２ａは、供給された駐車場Ａの入庫時刻情報および料金表のデータをカードライタ２ｄに入力し、カードライタ２ｄに挿入されているＩＣカード３へ記録する。
【０１１０】
次いで、顧客は、駐車場Ａの所定の駐車枠に駐車した後に、車載器２よりＩＣカード３を引き抜き、ＩＣカード３を携帯してショッピングセンタ内の店舗へ買い物に向かう。顧客が、ショッピングセンタにおいて駐車時間および利用料金を確認する必要が生じたならば、ショッピングセンタ内の最寄りの場所に設置されている固定端末４にＩＣカード３を挿入する。
【０１１１】
固定端末４のＣＰＵ４ａは、カードリーダ４ｂに挿入されたＩＣカード３から駐車場Ａの入庫時刻情報および料金表を読み取る。次いで、ＣＰＵ４ａは、ＩＣカード３から読み取った入庫時刻と時計部４ｃからの現在時刻の差から現在の駐車経過時間（駐車時間）を算出する。次いで、ＣＰＵ４ａは、ＩＣカード３から読み取った駐車場Ａの料金表を参照し、この料金表と算出された駐車時間との照合により駐車料金の現在額を算出する。次いで、ＣＰＵ４ａは、算出された駐車時間、駐車料金の現在額および料金表をＬＣＤ４ｅに表示させる。
【０１１２】
顧客は、必要なときに固定端末４の表示により駐車料金の現在額を確認することができ、そして、駐車場の出口に設置されている出口精算機（図示しない）で駐車料金を精算して出庫することができる。
【０１１３】
上述の動作における固定端末４のＣＰＵ４ａの処理は、図１８のフローチャートに示される。まず、ＣＰＵ４ａは、カードリーダ４ｂよりＩＣカード３のデータを読み出す（ステップＳ６１）。次いで、ＩＣカード３から読み出したデータの中に、入庫時刻情報があるか否かを判定し（ステップＳ６３）、入庫時刻情報がない場合は再度ステップＳ６１に戻る。入庫時刻情報があれば、ＣＰＵ４ａは、時計部４ｃより現在時刻を取得し、現在の時刻と入庫時刻との差より駐車経過時間（駐車時間）を演算する（ステップＳ６５）。
【０１１４】
次いで、ＣＰＵ４ａは、ＩＣカード３から読み出したデータの中に、駐車場の料金表があるか否かを判定し（ステップＳ６７）、駐車場の料金表がない場合は再度ステップＳ６１に戻る。駐車場の料金表があれば、ＣＰＵ４ａは、ＩＣカード３より読み出された駐車場の料金表、すなわち、駐車場Ａの料金表、を参照して、ステップＳ６５で算出した駐車時間に対応する駐車料金の現在額を演算する（ステップＳ６９）。
【０１１５】
演算の例として、たとえば、入庫時刻が１０時００分、現在の時刻が１１時３０分とすると、現在の駐車時間は９０分となる。そして、ここでは駐車場Ａを利用しているので、駐車場Ａの料金表より始めの３０分が３００円、以降１０分経過する毎に１００円が加算されることが参照され、駐車料金の現在額は、１０００円と演算される。
【０１１６】
次いで、ＣＰＵ４ａは、駐車場Ａに関して、入庫時刻と、現在の時刻と、算出された現在の駐車時間と、算出された駐車料金の現在額と、料金表とをＬＣＤ４ｅの表示パネルＤに表示させる（ステップＳ７１）。
【０１１７】
以上のように、本発明の第４の実施形態によれば、入庫時に入口路上機１から入庫時刻と共に駐車場の料金表を送信して、車載器２によりＩＣカード３に記憶させ、固定端末４においてＩＣカード３に記憶させた駐車場の料金表を読み出して料金計算を行わせるようにしているので、上述の実施形態の効果に加えて、料金体系が変更された場合には、入口路上機のメモリの内容を書き換えるだけで対応でき、固定端末側の変更を要しないという効果がある。
【０１１８】
以上の通り、本発明の実施の形態について説明したが、本発明はこれに限らず、種々の変形、応用が可能である。
【０１１９】
たとえば、上述の実施の形態では、表示手段（ＬＣＤ４ｅ）に入庫時刻と、現在の時刻と、算出された現在の駐車時間と、算出された駐車料金の現在額と、料金表とを全て表示しているが、表示項目の組み合わせは種々可能であり、たとえば、算出された現在の駐車時間と料金表の組み合わせ、算出された駐車料金の現在額と料金表の組み合わせ、算出された現在の駐車時間と、算出された駐車料金の現在額の組み合わせを表示しても良い。
【０１２０】
また、上述の実施の形態では、ＩＣカード３としてＥＴＣ決済用ＩＣカードを使用しているが、これに限らず、商店街やショッピングセンタで各種サービス用に提供されているＩＣカードや、プリペイドカード、電子マネー用カードでも良い。
【０１２１】
また、上述の実施の形態では、入口路上機と車載器の通信にＤＳＲＣを用いているが、それ以外の電波、光、赤外線等を利用した通信でも良い。
【０１２２】
【発明の効果】
請求項１記載の発明によれば、顧客は、必要な時に現在の駐車時間を知ることができ、また、料金表から、駐車料金の現在額や追加料金が加算されるまでの時間を知ることができる。
【０１２３】
請求項２記載の発明によれば、顧客は、必要な時に駐車料金の現在額を知ることができる。
【０１２４】
請求項３記載の発明によれば、顧客は、必要な時に現在の駐車時間と駐車料金の現在額を知ることができる。
【０１２５】
請求項４記載の発明によれば、で、顧客は、必要な時に現在の駐車時間を知ることができ、また、料金表から、駐車料金の現在額や追加料金が加算されるまでの時間を知ることができる。
【０１２６】
請求項５記載の発明によれば、顧客は、必要な時に駐車料金の現在額を知ることができる。また、料金表から、追加料金が加算されるまでの時間を知ることができる。
【０１２７】
請求項６記載の発明によれば、顧客は、必要な時に現在の駐車時間と駐車料金の現在額を知ることができる。
【０１２８】
請求項７記載の発明によれば、車載器に駐車場への入庫時刻情報を確実に送信することができる。
【０１２９】
請求項８記載の発明によれば、記憶媒体に入庫時刻情報を確実に記録することができる。
【０１３０】
請求項９記載の発明によれば、入庫時刻から現在時刻までの現時点の駐車時間を算出して、料金表と共に顧客に報知することができる。
【０１３１】
請求項１０記載の発明によれば、駐車時間の現在額を算出して、料金表と共に顧客に報知することができる。
【０１３２】
請求項１１記載の発明によれば、入庫時刻から現在時刻までの現時点の駐車時間と駐車料金の現在額とを算出して、顧客に報知することができる。
【０１３３】
請求項１２記載の発明によれば、複数の駐車場の中から選択された利用中の駐車場における入庫時刻から現在時刻までの現時点の駐車時間を算出して、料金表と共に顧客に報知することができる。
【０１３４】
請求項１３記載の発明によれば、複数の駐車場の中から選択された利用中の駐車場における駐車料金の現在額を算出して、料金表と共に顧客に報知することができる。
【０１３５】
請求項１４記載の発明によれば、複数の駐車場の中から選択された利用中の駐車場における入庫時刻から現在時刻までの現時点の駐車時間と駐車料金の現在額とを算出して、顧客に報知することができる。
【０１３６】
請求項１５記載の発明によれば、利用中の駐車場に関する入庫時刻から現在時刻までの現時点の駐車時間を算出して、料金表と共に報知することができ、顧客は、複数の駐車場の中で利用中の駐車場の名前を覚えておく必要が無い。
【０１３７】
請求項１６記載の発明によれば、利用中の駐車場に関する駐車料金の現在額を算出して、料金表と共に報知することができ、顧客は、複数の駐車場の中で利用中の駐車場の名前を覚えておく必要が無い。
【０１３８】
請求項１７記載の発明によれば、利用中の駐車場に関する入庫時刻から現在時刻までの現時点の駐車時間と駐車料金の現在額とを報知することができ、顧客は、複数の駐車場の中で利用中の駐車場の名前を覚えておく必要が無い。
【０１３９】
請求項１８記載の発明によれば、入庫時刻から現在時刻までの現時点の駐車時間を算出して、料金表と共に報知することができ、料金体系の変更時、固定端末側の変更を要しないという利点がある。
【０１４０】
請求項１９記載の発明によれば、駐車料金の現在額を算出して、料金表と共に報知することができ、料金体系の変更時、固定端末側の変更を要しないという利点がある。
【０１４１】
請求項２０記載の発明によれば、入庫時刻から現在時刻までの現時点の駐車時間と駐車料金の現在額とを算出して、報知することができ、料金体系の変更時、固定端末側の変更を要しないという利点がある。
【０１４２】
請求項２１記載の発明によれば、駐車時間および駐車料金の算出の基となる入庫時刻情報を記憶媒体に確実に書き込むことができる。
【図面の簡単な説明】
【図１】本発明による駐車料金収集システムの第１の実施形態の概略構成を示す構成図である。
【図２】図１のシステムにおける入口路上機の構成例を示すブロック図である。
【図３】図１のシステムにおける入口路上機のアンテナの配置例を示す図である。
【図４】図１のシステムにおける車載器の構成例を示すブロック図である。
【図５】図１のシステムにおける車載器の配置例を示す図である。
【図６】図１のシステムにおける固定端末の構成例を示すブロック図である。
【図７】図１のシステムにおける固定端末の外観を示す図である。
【図８】図１のシステムにおける固定端末の表示パネルの表示例を示す図である。
【図９】図１のシステムにおける固定端末の処理を示すフローチャートである。
【図１０】本発明による駐車料金収集システムの第２の実施形態の概略構成を示す構成図である。
【図１１】図１０のシステムにおける固定端末の構成例を示すブロック図である。
【図１２】図１０のシステムにおける固定端末の操作面の構成例を示す図である。
【図１３】図１０のシステムにおける固定端末の表示パネルの表示例を示す図である。
【図１４】図１０のシステムにおける固定端末の処理を示すフローチャートである。
【図１５】本発明による駐車料金収集システムの第３の実施形態における入口路上機の構成例を示すブロック図である。
【図１６】本発明による駐車料金収集システムの第３の実施形態における固定端末のＣＰＵの処理を示すフローチャートである。
【図１７】本発明による駐車料金収集システムの第４の実施形態における固定端末の構成例を示すブロック図である。
【図１８】本発明による駐車料金収集システムの第４の実施形態における固定端末の処理を示すフローチャートである。
【図１９】従来の駐車料金収受システムの構成を示すブロック図である。
【符号の説明】
１　　入口路上機
１Ａ　入口路上機
１Ｂ　入口路上機
１Ｃ　入口路上機
１ａ　ＣＰＵ
１ｂ　時計部（時計手段）
１ｃ　ＤＳＲＣ送信機
１ｄ　アンテナ
１ｅ　ＲＯＭ（記憶手段）
２　　車載器
２ａ　ＣＰＵ
２ｂ　アンテナ
２ｃ　ＤＳＲＣ受信機（受信手段）
２ｄ　カードライタ（記録手段）
３　　ＩＣカード（記憶媒体）
４　　固定端末
４ａ　ＣＰＵ（駐車時間算出手段、駐車料金算出手段）
４ｂ　カードリーダ（読出し手段）
４ｃ　時計部（時計手段）
４ｄ　ＲＯＭ（記憶手段）
４ｅ　ＬＣＤ（表示手段）
４ｆ　駐車場選択スイッチ（駐車場選択手段）
【図１】
2004054695.tif 000003
【図２】
2004054695.tif 000004
【図３】
2004054695.tif 000005
【図４】
2004054695.tif 000006
【図５】
2004054695.tif 000007
【図６】
2004054695.tif 000008
【図７】
2004054695.tif 000009
【図８】
2004054695.tif 000010
【図９】
2004054695.tif 000011
【図１０】
2004054695.tif 000012
【図１１】
2004054695.tif 000013
【図１２】
2004054695.tif 000014
【図１３】
2004054695.tif 000015
【図１４】
2004054695.tif 000016
【図１５】
2004054695.tif 000017
【図１６】
2004054695.tif 000018
【図１７】
2004054695.tif 000019
【図１８】
2004054695.tif 000020
【図１９】
2004054695.tif 000021